(57)【要約】【課題】  ケース体の開口部にグロメットを配設する構造において、前記グロメットを介して前記ケース体から引き出される配線が他の機器と接触することを抑制することが可能な計器装置を提供する。【解決手段】  計器装置（コンビネーションメータ）１は、ケース体（下ケース）２の後面側に形成される開口部２ｂと、ケース体２内に収納され、表示部を形成する表示部材が実装される回路基板４と、回路基板４と接続され、ケース体２内から外部に引き出される配線８ｂと、開口部２ｂを覆うように配設され、配線８ｂを挿通する孔部９ａを有する導出部９ｂと、ケース体２の開口部２ｂ周辺に配設固定される取付部９ｃと、導出部９ｂと取付部９ｃとを連結する連結部９ｄとが一体的に形成され、導出部９ａが連結部９ｄを軸としてケース体２に向けて可動する弾性部材（グロメット）９と、を備えてなることを特徴とする。【選択図】  図１
2007051925.tif 000002
【特許請求の範囲】
【請求項１】
ケース体の前面側に所定の情報を表示する表示部を少なくとも１つ以上設けてなる計器装置であって、
前記ケース体の後面側に形成される開口部と、
前記ケース体内に収納され、前記表示部を形成する表示部材が実装される回路基板と、
前記回路基板と接続され、前記ケース体内から外部に引き出される配線と、
前記開口部を覆うように配設され、前記配線を挿通する孔部を有する導出部と、前記ケース体の前記開口部周辺に配設固定される取付部と、前記導出部と前記取付部とを連結する連結部とが一体的に形成され、前記導出部が前記連結部を軸として前記ケース体に向けて可動する弾性部材と、
を備えてなることを特徴とする計器装置。
【請求項２】
前記導出部は、凸状に形成されてなることを特徴とする請求項１に記載の計器装置。
【請求項３】
前記導出部と前記取付部との間に凹部が形成されてなることを特徴とする請求項１に記載の計器装置。
【請求項４】
前記連結部は、前記導出部の下端から延設されてなることを特徴とする請求項１に記載の計器装置。
【請求項５】
前記導出部を前記ケース体に向けて傾斜させた状態にて前記配線を固定する固定部材が前記ケース体の後面に配設されてなることを特徴とする請求項１に記載の計器装置。
【発明の詳細な説明】
【技術分野】
【０００１】
本発明は、計器装置に関し、特に、ケース体の密閉性を要する計器装置に関する。
【背景技術】
【０００２】
従来、計器装置としては、例えば船舶や建設機械車両等に用いられる等の事情により厳しい環境下で使用されるものがあり、密閉性の高い構造が必要とされるものが知られている。
【０００３】
計器装置の密閉性を向上させる構造としては、図６に示すように、表示部を形成する表示部材を収納するケース体Ａに形成され、前記表示部材と電気的に接続され外部から電気信号等を導入するための配線Ｂをケース体Ａの外部に引き出すための開口部Ａ１を、弾性部材であるグロメットＣによって覆うものが知られている（例えば特許文献１参照）。なお、このとき、グロメットＣには配線Ｂを挿通するための孔部Ｃ１が形成され、配線Ｂは孔部Ｃ１を介して外部に引き出される。
【特許文献１】特開２０００−１１２４０８号公報
【発明の開示】
【発明が解決しようとする課題】
【０００４】
ケース体Ａの外部に引き出された配線Ｂは、配設位置が近接する他の機器との接触を避けるためにケース体Ａの底面に沿って折り曲げることが望ましい。しかしながら、かかる構造においては、配線ＢはグロメットＣによって固定されているため、特に配線Ｂの数が多い場合にはグロメットＣに近接した個所からは配線Ｂを折り曲げることができず、外部における配線Ｂの高さＬが大きくなり他の機器と接触するおそれがあるという問題点があった。
【０００５】
本発明は、前記問題点に鑑み、ケース体の開口部にグロメットを配設する構造において、前記グロメットを介して前記ケース体から引き出される配線が他の機器と接触することを抑制することが可能な計器装置を提供することを目的とする。
【課題を解決するための手段】
【０００６】
本発明の計器装置は、前記課題を解決するため、ケース体の前面側に所定の情報を表示する表示部を少なくとも１つ以上設けてなる計器装置であって、前記ケース体の後面側に形成される開口部と、前記ケース体内に収納され、前記表示部を形成する表示部材が実装される回路基板と、前記回路基板と接続され、前記ケース体内から外部に引き出される配線と、前記開口部を覆うように配設され、前記配線を挿通する孔部を有する導出部と、前記ケース体の前記開口部周辺に配設固定される取付部と、前記導出部と前記取付部とを連結する連結部とが一体的に形成され、前記導出部が前記連結部を軸として前記ケース体に向けて可動する弾性部材と、を備えてなることを特徴とする。
【０００７】
また、前記導出部は、凸状に形成されてなることを特徴とする。
【０００８】
また、前記導出部と前記取付部との間に凹部が形成されてなることを特徴とする。
【０００９】
また、前記連結部は、前記導出部の下端から延設されてなることを特徴とする。
【００１０】
また、前記導出部を前記ケース体に向けて傾斜させた状態にて前記配線を固定する固定部材が前記ケース体の後面に配設されてなることを特徴とする。
【発明の効果】
【００１１】
本発明は、計器装置に関し、特に、ケース体の密閉性を要する計器装置に関するものであり、ケース体の開口部にグロメットを配設する構造において、前記グロメットを介して前記ケース体から引き出される配線部材が他の機器と接触することを抑制することが可能となるものである。
【発明を実施するための最良の形態】
【００１２】
以下、本発明の実施の形態を添付した図面に基づいて説明する。
【００１３】
図１は、建設機械車両に搭載されるコンビネーションメータ（計器装置）１を示す断面図である。コンビネーションメータ１は、下ケース（ケース体）２と、上ケース３と、回路基板４と、中ケース５と、表示板６と、見返し板７と、配線部材８と、グロメット（弾性部材）９と、から主に構成されている。また、コンビネーションメータ１は、図２に示すように、エンジンの冷却水の温度を示すアナログ式の第一の表示部１ａと燃料残量を示すアナログ式の第二の表示部１ｂとバッテリーの充電不良警告等の各種情報を点灯表示する第三の表示部１ｃとを有するものである。
【００１４】
下ケース２は、合成樹脂材料からなり、前面に第一の開口部２ａを有する凹形状に形成されるものであり、回路基板４，中ケース５，表示板６及び見返し板７等の内部部品を収納する。また、下ケース２の後面には、配線部材８の後述する配線を外部に引き出すための第二の開口部２ｂが形成されている。
【００１５】
上ケース３は、透明材料からなり、下ケース２の第一の開口部２ａを覆うように下ケース２上に配設され、ビス締めにより下ケース２に固定されるものである。
【００１６】
回路基板４は、各表示部１ａ〜１ｃを形成する表示部材が実装されるものであり、下ケース２の後面側に収納され、ビス締めによって下ケース２に固定される。なお、前記表示部材としては、例えば第一，第二の表示部１ａ，１ｂの指針１ａ１，１ｂ１が装着されるステッピングモータ１ａ２，１ｂ２、第三の表示部１ｃを点灯表示させるためのＬＥＤ群１ｃ１、あるいはステッピングモータ１ａ２，１ｂ２を駆動制御するマイクロコンピュータ等の電子部品（図示しない）等がある。
【００１７】
中ケース５は、合成樹脂材料からなり、回路基板４上に配設固定され、回路基板４を介して下ケース２に固定されるものである。また、中ケース５は、表示板６及び見返し板７を支持する。
【００１８】
表示板６は、合成樹脂材料等からなる板状部材であり、第一の表示部１ａに応じた水温の値を示す第一の指標部６ａと、第二の表示部１ｂに応じた残燃料の値を示す第二の指標部６ｂと、第三の表示部１ｃに応じた各種の情報指標群６ｃとがそれぞれ印刷形成されてなるものである。
【００１９】
見返し板７は、非透光性材料からなり、表示板６の第一，第二の指標部６ａ，６ｂ及び情報指標群６ｃを露出させる窓部７ａを有する装飾用部材であり、表示板６の前方に配設される。
【００２０】
配線部材８は、回路基板４の後面側に固定されたコネクタ８ａと、外部からの電気信号等を導入する配線８ｂと、電気コード８ｂの先端に設けられコネクタ８ａを通じて回路基板４の孔部（図示しない）に挿入され回路基板４の前面側に突出する接続部８ｃと、外部に引き出された複数の配線８ｂを束ねる配線カバー８ｄと、を有するものである。配線部材８は、接続部８ｃを回路基板４に接続することで回路基板４と電気的に接続される。また、配線部材８は下ケース２内から第二の開口部２ｂに配設されるグロメット９を介して外部に引き出しされる。
【００２１】
グロメット９は、例えば弾性を有する樹脂材料からなるものであり、下ケース２の第二の開口部２ｂを覆うように配設されるものである。グロメット９は、配線８ｂを挿通する孔部９ａが形成される凸状の導出部９ｂと、導出部９ｂを囲むように形成される取付部９ｃと、導出部９ｂと取付部９ｃとを連結する連結部９ｄとが一体的に形成されてなり、導出部９ｂと取付部９ｃとの間に凹部９ｅが形成されている。なお、連結部９ｄは、導出部９ｂの下端（下ケース２側の端部）から延設される。また、取付部９ｃは、断面略コの字状に形成され、下ケース２の第二の開口部２ｂ周辺に嵌合して配設固定される。
【００２２】
また、グロメット９は、凹部９ｅを形成することで導出部９ｂと取付部９ｄとの間に間隔が設けられており、導出部９ｂが連結部９ｄを軸として下ケース２に向けて可動する構成となっている。なお、導出部９ｂの可動を容易とするため、連結部９ｄを導出部９ｂの可動に伴って変形可能な程度に肉薄に形成することが好ましい。図３は、導出部９ｂを可動させる前の状態を示しており、図４は、連結部９ｄを変形させつつ導出部９ｂを下ケース２に向けて可動させた後の状態を示している。導出部９ｂは、下ケース２に向けて可動させることによって、下ケース２に向けて傾斜した状態となる。このとき、配線８ｂの外部への引き出し方向を下ケース２の後面に対して略垂直方向から下ケース２の後面に向けて所定角度修正することができ、導出部９ｂの可動前よりも導出部９ｂの傾斜分だけ外部における配線８ｄの高さを低減させることができる。また、図５に示すように、下ケース２の後面には、下ケース２の後面に沿って折り曲げられた配線８ｂを導出部９ｂが傾斜した状態で固定する配線クランプ（固定部材）１０が配設されている。配線クランプ１０は、ビス締めによって下ケース２に配設固定され、配線カバー８ｄによって束ねられた配線８ｂを挟持して配設固定するものである。
【００２３】
かかるコンビネーションメータ１は、下ケース２の後面側に形成される第二の開口部２ｂと、下ケース２内に収納され、表示部１ａ〜１ｃを形成する前記表示部材が実装される回路基板４と、回路基板４と接続され、下ケース２内から外部に引き出される配線８ｂと、第二の開口部２ｂを覆うように配設され、配線部材８を挿通する孔部９ａを有する導出部９ｂと、下ケース２の第二の開口部２ｂ周辺に配設固定される取付部９ｃと、導出部９ｂと取付部９ｃとを連結する連結部９ｄとが一体的に形成され、導出部９ｂが連結部９ｄを軸として下ケース２に向けて可動するグロメット９を備えることを特徴とするものである。また、導出部９ｂは、凸状に形成されるものである。また、導出部９ｂと取付部９ｃとの間に凹部９ｅが形成されてなるものである。また、連結部９ｄは、導出部９ｂの下端から延設されてなるものである。
【００２４】
以上の構成により、導出部９ｂを下ケース２に向けて可動させることによって、配線８ｂの外部への引き出し方向を下ケース２の後面に対して略垂直方向から下ケース２の後面に向けて所定角度修正することができ、従来よりも導出部９ｂの傾斜分だけ外部における配線８ｄの高さを低減させることができる。したがって、配線８ｄが他の機器に接触することを抑制することが可能となる。
【００２５】
また、導出部９ｂを下ケース２に向けて傾斜させた状態にて配線８ｂを固定する配線クランプ１０を下ケース２の後面に配設することにより、外部における配線８ｂの高さを低減させた状態を容易に維持することができる。
【００２６】
なお、本発明における弾性部材の形状及び形成個所は本実施の形態に限定されるものではなく、本発明の範囲内で任意に変更可能である。
【図面の簡単な説明】
【００２７】
【図１】本発明の実施の形態であるコンビネーションメータを示す断面図。
【図２】同上のコンビネーションメータを示す正面図。
【図３】同上のコンビネーションメータを示す要部断面図。
【図４】同上のコンビネーションメータを示す要部断面図。
【図５】同上のコンビネーションメータを示す背面図。
【図６】従来の計器装置を示す要部断面図。
【符号の説明】
【００２８】
１  コンビネーションメータ（計器装置）
２  下ケース（ケース体）
２ｂ  第二の開口部
３  上ケース
４  回路基板
５  中ケース
６  表示板
７  見返し板
８  配線部材
８ｂ  配線
９  グロメット（弾性部材）
９ａ  孔部
９ｂ  導出部
９ｃ  取付部
９ｄ  連結部
９ｅ  凹部
１０  配線クランプ（固定部材）
【図１】
2007051925.tif 000003
【図２】
2007051925.tif 000004
【図３】
2007051925.tif 000005
【図４】
2007051925.tif 000006
【図５】
2007051925.tif 000007
【図６】
2007051925.tif 000008